(57)【特許請求の範囲】
【請求項１】
駆動源により回動される主動プーリと、パチンコ球を揚送する回転体に連結される従動プーリと、前記主動プーリと前記従動プーリとの間に巻回され該主動プーリの回転を該従動プーリへ伝達する無端ベルトとを備え、前記主動プーリの外周面に円周方向と斜交する凸凹模様を形成し、過負荷により前記主動プーリと前記無端ベルトとの接触面がスリップすると、前記凸凹模様に導かれて前記無端ベルトが前記主動プーリの軸方向に押し出され該主動プーリから離脱することを特徴とするパチンコ球揚送装置の駆動機構。
【請求項２】
請求項１に記載のパチンコ球揚送装置の駆動機構であって、単一の駆動源により一体に回動される二つの主動プーリと該各主動プーリに対応して独立に回転する従動プーリとの間に無端ベルトを其々巻回し、前記主動プーリの外周面に円周方向と斜交するように形成された凸凹模様の向きが該各主動プーリ同士で逆向きになるようにし、前記無端ベルトの離脱方向が前記各主動プーリの中間部になるようにしたことを特徴とするパチンコ球揚送装置の駆動機構。
【発明の詳細な説明】
【技術分野】
【０００１】
本発明は、パチンコ球をパチンコ機設置島の上部タンクに揚送するパチンコ球揚送装置の駆動機構に関し、さらに詳しくは、パチンコ球揚送装置が過負荷により破損することを防止するパチンコ球揚送装置の駆動機構に関する。
【背景技術】
【０００２】
パチンコ遊技場では多数のパチンコ機が連設されたパチンコ機設置島が形成され、パチンコ球は各パチンコ機から排出されると、パチンコ機設置島毎に収集された後に再び各パチンコ機に供給され循環的に繰り返し使用される。この際に、パチンコ球の表面に付着した機械油や手垢等の汚れが研磨装置により洗浄されると共に、洗浄済みのパチンコ球は球揚送装置によりパチンコ機設置島の上部タンクへ揚送される。このようなパチンコ球揚送装置は、例えば、下記特許文献に開示されているものがある。
【特許文献１】特許２９５７５７８号公報
【発明の開示】
【発明が解決しようとする課題】
【０００３】
ところで、上記特許文献１に開示されているパチンコ球揚送装置は、モータの駆動軸が揚送部に設けられた回転体の回転軸に直結され、モータの回転動が回転体に直接伝達されている。上記のような構成では、例えば、揚送部に異物が混入して引っ掛かり、回転体の回転動が妨げられ過負荷が掛かった状態であっても、モータは停止することなく回転を継続して回転体に回転動が伝達され続ける。従って、回転体やその周囲の部材に破損が発生しやすい問題があった。また、モータも同様の過負荷が掛かった状態で回転動が継続されるため、モータ自身が損傷を受けるおそれがあった。
【０００４】
このような問題を解決するには、例えば、モータに掛かる負荷を監視して、過負荷状態に陥ると自動的に回転が停止されるブレーキ装置付きのモータを導入することも考えられる。しかし、このようなモータは大型である場合が多いために広い設置スペースが必要となり、また、通常のモータよりも高価であることから設備費用が高くなる問題があった。
【課題を解決するための手段】
【０００５】
そこで、上記のような課題を解決するために、請求項１に係るパチンコ球揚送装置の駆動機構は、駆動源により回動される主動プーリと、パチンコ球を揚送する回転体に連結される従動プーリと、前記主動プーリと前記従動プーリとの間に巻回され該主動プーリの回転を該従動プーリへ伝達する無端ベルトとを備え、前記主動プーリの外周面に円周方向と斜交する凸凹模様を形成し、過負荷により前記主動プーリと前記無端ベルトとの接触面がスリップすると、前記凸凹模様に導かれて前記無端ベルトが前記主動プーリの軸方向に押し出され該主動プーリから離脱することを特徴とする。
【０００６】
また、請求項２に係るパチンコ球揚送装置の駆動機構は、請求項１に記載のパチンコ球揚送装置の駆動機構であって、単一の駆動源により一体に回動される二つの主動プーリと該各主動プーリに対応して独立に回転する従動プーリとの間に無端ベルトを其々巻回し、前記主動プーリの外周面に円周方向と斜交するように形成された凸凹模様の向きが該各主動プーリ同士で逆向きになるようにし、前記無端ベルトの離脱方向が前記各主動プーリの中間部になるようにしたことを特徴とする。
【発明の効果】
【０００７】
請求項１に記載されたパチンコ球揚送装置の駆動機構では、例えば、揚送部に異物等が混入して引っ掛かり、揚送部に設けられた回転体の回転動が妨げられると、主動プーリと無端ベルトとの接触面がスリップする。そうすると、無端ベルトは、主動プーリの外周面に設けられた凸凹模様に導かれて該主動プーリの軸方向に押し出され、主動プーリから離脱してしまう。よって、回転体にモータの回転動が伝達されなくなる。従って、回転体に無理な力が作用し続けることがなくなり、回転体およびその周囲の部材の破損を防止できるようになる。また、モータ自身も過負荷状態のままで回転駆動を継続することがなくなり、モータの損傷を防止できるようになる。
【０００８】
さらに、請求項２に記載されたパチンコ球揚送装置の駆動機構では、単一の駆動源により二つの主動プーリが一体に回転駆動され、これらの各主動プーリに対応してパチンコ球を揚送する回転体が其々独立に回転駆動されることから、駆動源の個数を増やすことなく二つの回転体が駆動され、パチンコ球の揚送能力を倍増させることができる。従って、一台のパチンコ球揚送装置で二台分の揚送能力が得られ、大幅なコストダウンを実現することができる。
【０００９】
また、過負荷によって仮に一方の無端ベルトが主動プーリから離脱しても、他方の無端ベルトは主動プーリから離脱することなく従動プーリへ回転動力を伝達し続ける。従って、一方の回転体が停止しても他方の回転体によるパチンコ球の揚送が継続され、パチンコ球の揚送が完全に停止してしまうことを防止できる。
【００１０】
さらに、無端ベルトの離脱方向が各主動プーリの中間方向であることから、各無端ベルトの離脱場所が共有されるようになる。従って、無端ベルトの離脱場所を各主動プーリ毎に別々に設ける場合と比較して該主動プーリの軸方向の長さを短く形成できるようになり、省スペース化できるようになる。また、どちらの無端ベルトが離脱したかを確認すれば、停止した回転体がどちらであるかを簡単に特定できる。
【発明を実施するための最良の形態】
【００１１】
次に図面に従い本発明の実施形態を説明する。図１はパチンコ機設置島の内部構造を示す断面図である。パチンコ機設置島１０１は背中合わせ状に設けたパチンコ機１０２を複数台整列させて形成したものであり、パチンコ球はこのパチンコ機設置島１０１内で循環され使用される。パチンコ機設置島１０１の略中央下部に球研磨装置１０３と球揚送装置１０４が隣接して設けられる。本発明に係るパチンコ球揚送装置の駆動機構は前記球揚送装置１０４に組み込まれる。また、前記球揚送装置１０４の上方にパチンコ球を揚送するための揚送管１０５が鉛直に設けられる。そして、揚送されたパチンコ球が貯留される球タンク１０６がパチンコ機設置島１０１の略中央上部に設置される。球タンク１０６にはパチンコ機設置島１０１の両端部に向かい下傾する供給樋１０７が接続され、パチンコ球はこの供給樋１０７を流下して各パチンコ機１０２に供給される。また、各パチンコ機１０２より排出されたパチンコ球を回収する集球樋１０８が、前記パチンコ機設置島１０１の下部に前記球研磨装置１０３へ向かって下傾するように設けられる。
【００１２】
図２は球研磨装置と球揚送装置の正面図である。球研磨装置１０３の下部側方に球箱１０９が設けられ、前記集球樋１０８を流下したパチンコ球はこの球箱１０９に収容される。パチンコ球は球箱１０９内で整列され球研磨装置１０３に導かれる。球研磨装置１０３は、プーリに巻回された無端ベルトによりパチンコ球の搬送面が形成された搬送機構１１０と、前記搬送面に相対するように配置された押圧板上に研磨布ロールより引き出された研磨布を敷設した研磨機構１１１とを備える。この球研磨装置１０３によって、パチンコ球は表面に付着した汚れが拭き取られる。さらに、球研磨装置１０３の上部に球通路１１３が設けられ、この球通路１１３の終端に貯留タンク１１２が設けられる。この貯留タンク１１２には前記球研磨装置１０３によって研磨されたパチンコ球が一時的に貯留される。そして、前記貯留タンク１１２の下部に接続された球通路１１４の下方に球揚送装置１０４が設置される。貯留タンク１１２より球通路１１４を経由して球揚送装置１０４に流入されたパチンコ球は、揚送管１０５を通じてパチンコ機設置島１０１上部の球タンク１０６に揚送される。
【００１３】
次に、球揚送装置１０４に組み込まれた本発明のパチンコ球揚送装置の駆動機構を説明する。図３は本発明に係るパチンコ球揚送装置の駆動機構の平面図、図４は断面図である。また、図５は本発明に係るパチンコ球揚送装置の揚送部および従動プーリの横断面図であり、図６は図３におけるＸ−Ｘ線断面図である。本発明のパチンコ球揚送装置の駆動機構は、モータが発生した回転動力を伝達する駆動部１と、前記駆動部１が伝達する回転動力によってパチンコ球を揚送する一対の揚送部２，２とから概ね構成される。
【００１４】
前記駆動部１は、図３および図４に示したように、側板３，３により形成される枠体４の内部に、主動プーリ５，５、従動プーリ６，６、これらに巻回された無端ベルト７，７、および、テンションプーリ８，８とが設けられ、外部にモータ９が取り付けられて大略構成される。モータ９の回転により主動プーリ５，５が回転駆動され無端ベルト７，７が走行する。そして、無端ベルト７，７の走行により回転動力が従動プーリ６，６に伝達される。
【００１５】
一方、前記揚送部２は、図５に示したように、前記側板３と外側板１０に設けられた軸受１１，１１により回転自在に軸支され前記従動プーリ６の回転軸１２に連結された中心軸１３と、前記中心軸１３に設けられた五枚のスプロケット１４と、前記スプロケット１４の周囲を取り囲むように設けられた球ガイド１５とから大略構成される。前記スプロケット１４の円形外周面は、図６に示したように、球受凹部１６，１６，…が一定間隔で形成され、また、前記球ガイド１５の下半部は前記スプロケット１４の円形外周面と相対する円弧状のガイド面１７が形成される。前記球通路１１４より揚送部２へ流入したパチンコ球は、球噛み防止手段１８を経由してスプロケット１４の球受凹部１６に嵌入し、ガイド面１７に沿って転動される。そして、逆流防止手段１９を経由して前記揚送管１０５に送出され、揚送管１０５内を下から上へと押し上げられるようにして揚送される。
【００１６】
先ず、駆動部１の説明をする。前記枠体４は、長方形状の一対の側板３，３を適宜間隔を設けて平行に立設し、二本の支持棒２０，２０および支持板２１が前記側板３，３間に架設されて形成される。前記各支持棒２０，２０は前記側板３の一側３ａの頂点寄りに設けられ、前記支持板２１は前記側板３の他側３ｂに設けられる。この枠体４の内部にて前記側板３の一側３ａと該側板３の中央３ｃとの中間部に、駆動軸２２が該側板３，３間に横架されるように軸受（図示せず）を介して回転自在に軸支される。そして、この駆動軸２２に二つの主動プーリ５，５が回転一体となるように設けられる。これら主動プーリ５，５は互いに適宜間隔を離して、前記両側板３，３寄りに位置される。また、前記主動プーリ５，５に其々対応する前記従動プーリ６，６が枠体４の内部に其々独立に回転自在に設けられる。この従動プーリ６は側板３の他側３ｂと該側板３の中央３ｃとの中間部に位置され、その径は前記主動プーリ５の径よりも大きく形成される。そして、従動プーリ６の回転軸１２は、前記揚送部２に回転自在に設けられた中心軸１３に連結される。
【００１７】
前記無端ベルト７は、対応する主動プーリ５と従動プーリ６との間に其々独立に巻回される。さらに、無端ベルト７の略中央部において上方から当接するようにテンションプーリ８が設けられる。このテンションプーリ８は、図４に示したように、く字状に折曲されたバー２３の折曲部に回転自在に軸支され、枠体４内部にて側板３の中央３ｃ付近に位置される。そして、前記バー２３の一方端が前記側板３の内面であって前記主動プーリ５の上方に設けられた支軸２４に傾動自在に軸支され、また、他方端が側板３の他側３ｂ寄りに位置すると共に、枠体４の下部にて内方へ突設された突片２５にコイルバネ等からなる弾性体２６によって係止される。こうして、前記バー２３は弾性体２６の引張力により支軸２４を支点としてテンションプーリ８が無端ベルト７を押圧する方向に付勢され、各無端ベルト７，７に適宜張力が付与される。
【００１８】
前記モータ９は、枠体４の外部であって一方の側板３の外方に設けられる。このモータ９の回転動は、転向機構２７により回転軸の方向が転換されると共に駆動軸２２に伝動される。こうして、主動プーリ５がモータ９の回転動により回転駆動される。
【００１９】
図７は駆動軸および主動プーリの拡大図である。前記主動プーリ５の外周面は、図７に示したように、凸凹模様としての螺旋状の溝２８が刻設される。この溝２８は主動プーリ５の外周面を周回しつつ円周方向と斜交するように設けられ、主動プーリ５が回転するとネジのように軸方向に進行するようになっている。そして、各主動プーリ５の溝２８の進行方向は互いに逆向きになるように形成され、これら主動プーリ５，５の中間方向に向けられている。すなわち、一方の主動プーリ５の溝２８は右巻きで他方の主動プーリ５の溝２８は左巻きである。なお、溝２８は連続的に途切れることなく形成される必要はなく、断続的に形成されても構わない。
【００２０】
次に、一対の揚送部２，２を説明する。揚送部２は、図５に示したように、枠体４の外部にて側板３に対して平行に立設された外側板１０と側板３との間に設けられ、前記各従動プーリ６，６に其々対応するように枠体４の両側に対称状に設けられる。なお、両揚送部２，２は同じ構成である。
【００２１】
前記スプロケット１４は、前記中心軸１３と回転一体となるように五枚が連設され、前記側板３と前記外側板１０の間に設けられる。前記中心軸１３は軸受１１，１１を介して側板３および外側板１０に回転自在に軸支され、さらに、中心軸１３の一方端が前記従動プーリ６の回転軸１２に連結される。スプロケット１４の外周面は半球状の球受凹部１６，１６，…が一定間隔で形成されパチンコ球を嵌入して保持し得るようになっている。
【００２２】
前記球ガイド１５は、図６に示したように、スプロケット１４の外周面を取り囲むように設けられ、上面にパチンコ球の流入口２９と送出口３０が形成される。流入口２９の上方には前記球通路１１４が設けられ、前記球研磨装置１０３によって表面の汚れが拭き取られたパチンコ球が、前記貯留タンク１１２より流入される。また、送出口３０の上方には前記揚送管１０５が接続され、パチンコ球はこの揚送管１０５内を下から上へ押し上げられるようにして前記パチンコ機設置島１０１の上部に設けられた球タンク１０６に揚送される。さらに、球ガイド１５の下半部は円弧状のガイド面１７が形成され、球受凹部１６に嵌ったパチンコ球がこのガイド面１７に当接して挟持されるようになっている。
【００２３】
前記流入口２９の内部は、支軸３１により傾動自在に支持された内側ガイド片３２と、支軸３３により傾動自在に支持された外側ガイド片３４とから構成される球噛み防止手段１８が設けられる。外側ガイド片３４の背面にはコイルバネ等からなる弾性体３５が設けられ、外側ガイド片３４の下部がスプロケット１４方向に付勢される。パチンコ球は、内側ガイド片３２と外側ガイド片３４の間を流下して、球受凹部１６に嵌入する。
【００２４】
一方で、前記送出口３０の内部は空間部３６が形成され、支軸３７によって傾動自在に支持されたアンチバック部材３８による逆流防止手段１９が設けられる。このアンチバック部材３８の内部にはパチンコ球が通過する貫通管路３９が形成される。また、アンチバック部材３８から前記空間方向に突設された係止片４０と前記空間内に設けられた横軸４１との間にコイルバネ等からなる弾性体４２が張架され、アンチバック部材３８は前記空間方向に付勢される。前記ガイド面１７に沿って転動されたパチンコ球は、貫通管路３９を通過して揚送管１０５へと導かれる。
【００２５】
次に、本発明に係るパチンコ球揚送装置の駆動機構の作用を説明する。モータ９の回転軸の向きが転向機構２７により方向転換されると共に、回転動が駆動軸２２に伝達され、主動プーリ５が図４の矢印ａ方向に回動される。主動プーリ５の回動は無端ベルト７により従動プーリ６に伝達され、この従動プーリ６の回転軸１２に連結された中心軸１３が回動され、スプロケット１４が図６の矢印ｂ方向に回転駆動される。そうすると、流入口２９に接続された球通路１１４から球ガイド１５へ流入したパチンコ球は、球噛み防止手段１８を経由してスプロケット１４へ導かれると共に、スプロケット１４の球受凹部１６，１６，…に一球ずつ嵌入して保持されながら球ガイド１５の円弧状のガイド面１７に沿って転動される。そして、パチンコ球は逆流防止手段１９を経由して送出口３０より排出され揚送管１０５内を上方へ搬送される。このようにして、パチンコ球は次々と揚送管１０５へ送出されて該揚送管１０５内で球列を形成し、下から上へと押し上げられるようにして球タンク１０６へと揚送される。
【００２６】
流入口２９より流入したパチンコ球がスプロケット１４の球受凹部１６にうまく嵌入せず球噛みが発生しそうになると、スプロケット１４により外方へ押し出されたパチンコ球の押圧によって、外側ガイド片３４が球受凹部１６の反対側へ傾動し球噛みが防止される。そして、弾性体３５の伸張力による外側ガイド片３４の復帰動作によって、パチンコ球は次の球受凹部１６にスムーズに誘導される。また、パチンコ球が保持されていない球受凹部１６が逆流防止手段１９に差し掛かると、アンチバック部材３８が弾性体４２の引張力により空間部３６の方向に傾動する。そうすると、アンチバック部材３８の貫通管路３９内の最下部に位置するパチンコ球は球ガイド１５の空間部３６の底面４３に乗るように支持され、パチンコ球の逆流が防止される。
【００２７】
前記駆動部１および前記揚送部２，２が通常状態で作動している時は、上述したように、主動プーリ５の回転動が無端ベルト７によって従動プーリ６へ伝達され、この従動プーリ６に連結されたスプロケット１４の回転によりパチンコ球が揚送される。一方で、球ガイド１５に異物が混入して詰まるなどしてスプロケット１４の回転動が妨げられると、スプロケット１４に連結された従動プーリ６に掛かる負荷が増大し過負荷状態となる。上述したように、従動プーリ６の径は主動プーリ５の径よりも大きく形成されていることから従動プーリ６の外周面と無端ベルト７との接触面積は広く、接触面における摩擦力が大きい。従って、負荷の増大で従動プーリ６の回転速度が低下すると、これに伴って無端ベルト７の走行にブレーキが掛かり、無端ベルト７の走行速度が低下する。一方で、主動プーリ５の外周面と無端ベルト７との接触面積は狭く摩擦力が小さいため、走行速度が低下した無端ベルト７と主動プーリ５の外周面との接触面はスリップする。スリップが発生すると、主動プーリ５の外周面に形成された螺旋状の溝２８に導かれて、無端ベルト７は主動プーリ５の軸方向に押し出され、図８に示したように、主動プーリ５から離脱する。そして、無端ベルト７の離脱により主動プーリ５の回転動が従動プーリ６に伝達されなくなり、スプロケット１４の回転が停止する。このようにして、過負荷状態にあるにもかかわらずスプロケット１４に無理な回転力が伝達され続けることがなくなり、スプロケット１４や球ガイド１５等の揚送部２を構成する部品の破損を防止できるようになる。また、モータ９自身も過負荷状態のままで回転駆動され続けることがなくなり、モータ９の損傷も防止できる。
【００２８】
そして、二つの揚送部２，２が一つのモータ９で駆動されることから、モータの個数を増やすことなく二倍のパチンコ球揚送能力が得られる。さらに、一方の無端ベルト７が主動プーリ５から離脱しても、もう一方の無端ベルト７は主動プーリ５から離脱することなく従動プーリ６へ回転動を伝達し続けることから、パチンコ球の揚送が完全に停止してしまうことを防止できる。また、主動プーリ５，５の外周面に形成された螺旋状の溝２８は該主動プーリ５，５の軸方向に対して其々右巻きと左巻きで進行しつつ該主動プーリ５，５の中間方向を向いていることから、無端ベルト７の離脱場所は、図８に示したように、駆動軸２２の中間部となる。よって、無端ベルト７の離脱場所が各主動プーリ５，５で共有され、主動プーリ５，５毎に別々に無端ベルト７の離脱場所を設ける必要がなくなる。従って、主動プーリ５，５間の幅を短くして枠体４の幅をコンパクトにすることができる。さらに、どちらの無端ベルト７が離脱しているかを確認すれば停止した回転体を簡単に特定でき、素早く修復作業に取り掛かることができる。
【図面の簡単な説明】
【００２９】
【図１】パチンコ機設置島の内部構造を示す断面図。
【図２】球研磨装置と球揚送装置の正面図。
【図３】本発明に係るパチンコ球揚送装置の駆動機構の平面図。
【図４】本発明に係るパチンコ球揚送装置の駆動機構の断面図。
【図５】本発明に係るパチンコ球揚送装置の揚送部および従動プーリの横断面図。
【図６】図３におけるＸ−Ｘ線断面図。
【図７】駆動軸および主動プーリの拡大図。
【図８】無端ベルトが主動プーリから外れた状態を示す平面図。
【符号の説明】
【００３０】
１              駆動部
２              揚送部
４              枠体
５              主動プーリ
６              従動プーリ
７              無端ベルト
８              テンションプーリ
９              モータ
１４            スプロケット
１５            球ガイド
１６            球受凹部
１７            ガイド面
１８            球噛み防止手段
１９            逆流防止手段
２８            溝
１０１          パチンコ機設置島
１０２          パチンコ機
１０３          球研磨装置
１０４          球揚送装置
１０５          揚送管
１０６          球タンク
【図１】
0004598088.tif 000002
【図２】
0004598088.tif 000003
【図３】
0004598088.tif 000004
【図４】
0004598088.tif 000005
【図５】
0004598088.tif 000006
【図６】
0004598088.tif 000007
【図７】
0004598088.tif 000008
【図８】
0004598088.tif 000009